(57)【要約】      （修正有）【課題】女性用ショーツを提供する。【解決手段】ウエスト部５、前身頃１０、後身頃２０と、前身頃と後身頃の下端の間に介在して配設する股部を有し、ショーツ内部に前部伸縮帯３１と股部帯３２と後部伸縮帯３３よりなる一本の伸縮性を有する伸縮帯３０を配設し、前記伸縮帯３０の前部伸縮帯３１はショーツの前身頃に対応するウエスト５に連設し、前記伸縮帯の後部伸縮帯３３はショーツの後身頃に対応するウエスト５に連接されている。【選択図】図５
0003225692.tif 000002
【実用新案登録請求の範囲】
【請求項１】
ウエスト部にその上端を連結する前身頃、ウエスト部にその上端を連結する後身頃と、前身頃と後身頃の下端の間に介在して配設する股部を有するショーツにおいて、
ショーツ内部に伸縮性素材よりなる前部伸縮帯と、前部伸縮帯に連結する吸水性素材よりなる股部帯と、股部帯に連結する伸縮性素材よりなる後部伸縮帯よりなる一本の伸縮性を有する伸縮帯を配設し、
前記伸縮帯の前部伸縮帯はショーツの前身頃に対応するウエスト部に連設し、前記伸縮帯の後部伸縮帯はショーツの後身頃に対応するウエスト部に連設されていることを特徴とするショーツ。
【請求項２】
前記伸縮帯の長さ方向の全長は、前記ショーツの前身頃、股部、後身頃の長さ方向の全長の約８０％〜９０％である請求項１記載のショーツ。
【請求項３】
前記伸縮帯のショーツのウエスト部に連結する前部伸縮帯の上端幅は、ショーツ前身頃の上端幅の約３／４〜約１／２、および前記伸縮帯のショーツのウエスト部に連結する後部伸縮帯の上端幅は、ショーツ後身頃の上端幅の約３／４〜約１／２であることを特徴とする請求項１または２記載のショーツ。
【請求項４】
前記伸縮帯は、前部伸縮帯の長さを１とした時、股部帯の長さは０．７〜１．２、後伸縮帯の長さは１．４〜１．５となっていることを特徴とする請求項１乃至３のいづれか１項に記載のショーツ。
【請求項５】
前記伸縮帯の股部帯は、ショーツ股部の対抗面に防水布を配設していることを特徴とする請求項１項に記載のショーツ。
【請求項６】
前記ショーツの前身頃の表面には縦方向に伸縮性を有するレース生地を重ねて配設しなる請求項１乃至４のいづれか１項に記載のショーツ。
【請求項７】
前記ショーツの後身頃裏面中央部にウエスト部から股部の上端まで、伸縮体を配設してなる請求項１乃至５のいづれか１項に記載のショーツ。
【考案の詳細な説明】
【技術分野】
【０００１】
本考案は女性用アンダーウエア、特にショーツに関する。
【背景技術】
【０００２】
中高年世代においては、骨盤内の膀胱・子宮・直腸などの尿道周りの臓器を下側から支えている骨盤底筋が、加齢、出産などの理由により緩み弱くなって起こる内臓下垂、尿失禁に悩まされる人が多い。
このような問題は、緩んだ筋肉を鍛える運動で改善できるといわれているが、通常の生活内で運動を継続することが難しかった。
内臓垂下による下腹部の膨出などの体型の変化、尿失禁の不安から外出やスポーツから遠ざかってしまうことは、生活の質の低下につながってしまう恐れがあった。
【先行技術文献】
【特許文献】
【０００３】
【特許文献１】実用新案登録第３１６６２３５号公報
【考案の概要】
【考案が解決しようとする課題】
【０００４】
上記公報には、尿漏れ抑制のため、ショーツ前側上端から後側の上下中途部に引き上げ部材を取りつけた構成が開示されている。
本考案は、通常の生活行動において、ショーツを身に着けることにより骨盤底筋の意識を高め、意識的に筋力強化の体勢（運動）を取ることにより、骨盤底筋の筋力の強度の低下を抑え、下腹部の膨出、尿失禁の不安からの解消を目指し、外出・スポーツなどの行動を積極的に行えることを目的とした下着、特にショーツを提供する。
【課題を解決するための手段】
【０００５】
本考案は、ウエスト部にその上端を連結する前身頃、ウエスト部にその上端を連結する後身頃と、前身頃と後身頃の下端の間に介在して配設する股部を有するショーツにおいて、
ショーツ内部に伸縮性素材よりなる前部伸縮帯と、前部伸縮帯に連結する吸水性素材よりなる股部帯と、股部帯に連結する伸縮性素材よりなる後身頃伸縮帯を連結した一本の伸縮性を有する伸縮帯を配設し、
前記伸縮帯の前部伸縮帯はショーツの前身頃に対応するウエスト部に連設し、前記伸縮帯の後部伸縮帯は、ショーツの後身頃に対応するウエスト部に連接されている構成を基本的に具備している。
【考案の効果】
【０００６】
本考案のショーツは、ショーツ内部に垂下する伸縮性を有する伸縮帯により、着用時において骨盤底筋を押し上げることにより骨盤底筋の意識を高め、意識的に筋力強化の体勢（運動）を取ることにより骨盤底筋の筋力の強度の低下を抑え、内臓下垂の防止、尿失禁の不安からの解消により、外出・スポーツなどの行動を積極的に行うことにより、生活の質の向上を図ることができる。
【図面の簡単な説明】
【０００７】
【図１】本考案ショーツの表面前身頃の説明図
【図２】本考案ショーツの表面後身頃の説明図
【図３】本考案の裏面前身頃の説明図
【図４】本考案の裏面後身頃の説明図
【図５】ショーツ本体と伸縮帯との関係を展開して模式的に表した説明図
【図６】図１Ａ−Ａ線断面説明図
【考案を実施するための形態】
【０００８】
本考案を図面を参照して詳述する。
図１，２は、本考案ショーツの表面前身頃・後身頃の説明図、図３，４は、本考案ショーツの裏面前身頃・後身頃の説明図である。
ショーツ１００は、着用者の胴回りに装着されるウエスト部５、ウエスト部５に連結する前身頃１０、ウエスト部５に連結する後身頃２０、前身頃１０と後身頃２０を連結する股部１５、よりなる。股部１５の両脇には脚を挿入する脚口１３が設けられている。
ショーツ１００の前身頃１０、後身頃２０、股部１５、ウエスト部５は伸縮性を有する生地、例えば、綿、綿ポリウレタン、あるいはポリエステル、綿ポリウレタン混紡素材を用いた編地が好ましい。また、ウエスト部５はゴム素材を用いても良い。
さらに、前身頃１０の表面には縦方向に伸縮性を有するレース生地１１を重ねて配設しても良い。その場合は、レース生地１１の上端はウエスト部５に取り付け、レース生地１２の下端は前身頃１０と股部１５との連結部で縫合させて、前身頃１０の表面にレース生地１２を配設する。
【０００９】
後身頃２０の裏面中央部には、ウエスト部５から股部１５の上端まで、縦・横方向に伸縮する伸縮体２５を配設している。伸縮体２５は例えば幅広のゴム紐であって、後身頃２０の裏面に縫着により固定される。
【００１０】
股部１５は、前身頃１０の下端と後身頃２０下端との間に配設され、前身頃１０下端と後身頃２０下端を連結する。股部１５の両側に前身頃１０と後身頃２０の下端とで形成する脚口１３を構成する。脚口１３の周縁には伸縮性を有するレース地を配設しても良い。
【００１１】
ショーツ１００の内側には伸縮帯３０を配設する。
伸縮帯３０は、伸縮性素材よりなる前部伸縮帯３１、吸水性素材よりなる股部帯３２、伸縮性素材よりなる後部伸縮帯３３が連結されて、全体として伸縮性を有する一本の帯形状となっている。
前部伸縮帯３１は薄地の伸縮布、あるいは伸縮網体等の柔軟性を有する薄地の伸縮素材よりなる。その上端を前身頃に対応するウエスト部５に連結する。前部伸縮帯３１の上端幅は前身頃の上端幅の約３／４〜１／２の幅寸法となっている。前部伸縮帯３１は次第に幅寸法を狭くして形成され、その下端は股部帯３２に連結している。
【００１２】
股部帯３２は、ショーツ１００の股部１５とほぼ相似形をなし、吸水性を有する素材で構成されている。股部帯３２の他端は後部伸縮帯３３の下端に連結する。なお、股部帯３２は伸縮性を有する吸水性素材であっても良い。
さらに、股部帯３２の裏面、ショーツ１００股部１５側に、防水布を配設しても良い。
後部伸縮帯３３は前部伸縮帯と同様の素材よりなり、股部帯３２との連結部の反対側端をショーツ１００の後身頃２０に対応するウエスト部５に連結する。後部伸縮帯３３の上端幅は後身頃の上端幅の約３／４〜１／２の幅寸法となっている。
【００１３】
図５は、ショーツ１００を展開して、ショーツ１００本体と伸縮帯３０との関係を模式的に表した説明図である。
ショーツ１００の、前身頃１０、股部１５、後身頃２０を拡開したときの全長の長さを長さＬとする。
伸縮帯３０の、前部伸縮帯３１、股部帯３２、後部伸縮帯３３の全長の長さは、長さｌとする。
この時、長さＬ＞長さｌであって、長さｌは長さＬに対して約８０％〜９０％の長さ寸法となっている。
伸縮帯３０において、前部伸縮帯３１を１とした時、股部帯３２は０．７〜１．２、後部伸縮帯３３は１．１〜１．５の長さの比率となっている。
【００１４】
図６は図１Ａ−Ａ線断面図である。
ショーツ１００はその前身頃１０の上端をウエスト部５に取り付け、前身頃１０の下端を股部１５に連結する。股部１５の他端は後身頃２０に連結し、後身頃２０の上端はウエスト部５に取りつけられている。
伸縮帯３０は、ショーツ１００の内側に配設される。伸縮帯３０の前部伸縮帯３１の上端をウエスト部５に取り付け（連結し）、前部伸縮帯３１の下端は股部帯３２の一方端に連結する。股部帯３２の他端は後部伸縮帯３３に連結する。股部帯３２に連結した後部伸縮帯３３の上端は、ウエスト部５に連結している。
すなわち、ショーツ１００の前身頃１０・股部１５・後身頃２０の長さＬより伸縮帯３０の長さｌが短く（８０〜９０％）形成されているので、伸縮帯３０はその長さ方向の両端をウエスト部５に固定した状態で、ショーツ１００内側に自由状態に垂下している。
【００１５】
このように構成されるショーツ１００において、このショーツ１００を着用したとき、ショーツの全長より短い長さの伸縮帯３０は、ウエスト部５でその長手方向の両端を固定しているので、ショーツ１００の動きとは別に、着用者の下半身の動きに追従して、前部伸縮帯３１、後部伸縮帯３３が股部帯３２を引き上げ、骨盤低筋を刺激する。
【００１６】
着用者は歩行、立ったり座ったりの生活行動において骨盤底筋を意識すると共に、刺激を受ける。尿道周りの骨盤低筋の意識が高まることにより意識的に筋力強化の体勢（運動）を取ることが出来、骨盤底筋の筋力の低下を抑え、内臓下垂を防止することが出来る。さらに、腰（ウエスト）の動きに合わせてウエスト方向に持ち上げられる伸縮帯３０は、骨盤底筋の筋力の低下を抑えるとともに、尿道を圧迫して抑え、尿失禁の不安を解消する。
また、股部帯３２は吸水性を有する素材で構成されていることから、失禁に対する安心感を与えることが出来る。さらに、股部帯３２の裏面（ショーツ１００の股部１５対向面）に防水布を配設することにより尿失禁に対する安心感が増す。
【００１７】
ショーツ１００の前身頃に伸縮性を有するレース１１を重設したショーツにおいては、腹部を伸縮素材で二重に引き締めて腹部から下腹部までの膨出を抑える。
また、後身頃２０のほぼ中央にウエスト部５から股部１５までの間に配設される伸縮体２５は、後身頃２０の伸縮性に加えてヒップ周りをウエスト方向へ引き上げる効果を有する。
【００１８】
本考案は、上記の構成により、本考案のショーツを着用することにより、尿道周りの骨盤底筋の意識を高め、意識的に筋力強化の体勢を取ることにより骨盤底筋の筋力の強度の低下を抑えることが出来る。このように、着用者は、骨盤底筋への意識を高めることにより内臓の下垂により発生する下腹部の膨出を防止する効果を奏すると共に、産後や加齢による筋力の低下に起因する股部の様々な不安から解消され、外出・スポーツなどの行動を積極的に行うことが可能となる。
【符号の説明】
【００１９】
５  ウエスト部
１０  前身頃
１３  脚口
１５  股部
２０  後身頃
３０  伸縮帯
３１  前部伸縮帯
３２  股部帯
３３  後部伸縮帯
１００  ショーツ
【図１】
0003225692.tif 000003
【図２】
0003225692.tif 000004
【図３】
0003225692.tif 000005
【図４】
0003225692.tif 000006
【図５】
0003225692.tif 000007
【図６】
0003225692.tif 000008